(57)【要約】【課題】  表示パネルの上げ下げに伴ってパネル面の仰角変更を行うよう構成した表示装置用スタンドにおいて、表示パネルの上げ下げ操作を軽快に行えるようにする。【解決手段】  表示パネル０１が装着される可動台７を固定支持台に対して案内レール８を介して上下にスライド移動可能に支持し、可動台７が上方移動するに連れて表示パネル０１が後方に移動して起立するとともに、可動台７が下方移動するに連れて表示パネル０１が手前に移動して後傾斜するように案内レール８を湾曲形成した表示装置用スタンドにおいて、可動台７と固定支持台とをゼンマイバネで連結して、ゼンマイバネの巻き込み復元力で可動台７を持ち上げ付勢するよう構成するとともに、可動台７のスライド移動に抵抗を付与する制動手段を装備し、この制動手段を、可動台７が上方移動するに連れてその制動力が減少するよう構成してある。【選択図】        図１０
2007279567.tif 000002
【特許請求の範囲】
【請求項１】
表示パネルが装着される可動台を固定支持台に対して案内レールを介して上下にスライド移動可能に支持し、可動台が上方移動するに連れて表示パネルが後方に移動して起立するとともに、可動台が下方移動するに連れて表示パネルが手前に移動して後傾斜するように前記案内レールを湾曲形成した表示装置用スタンドにおいて、
前記可動台と固定支持台とをゼンマイバネで連結して、ゼンマイバネの巻き込み復元力で可動台を持ち上げ付勢するよう構成するとともに、可動台のスライド移動に摩擦抵抗を付与する制動手段を装備し、この制動手段を、可動台が上方移動するに連れてその摩擦制動力が減少するよう構成してあることを特徴とする表示装置用スタンド。
【請求項２】
請求項１記載の表示装置用スタンドにおいて、
前記制動手段を、前記案内レールに摺接する摺動片とこれを摺動面に押圧するバネとで構成し、前記可動台が上方移動するほど前記バネの固定側を受け止め支持するバネ受け部と前記摺動面との距離が増大するよう構成してあることを特徴とする表示装置用スタンド。
【請求項３】
請求項１または２記載の表示装置用スタンドにおいて、
前記案内レールを前記可動台に備え、固定支持台に備えた案内部材に前記案内レールを嵌合支持してあることを特徴とする表示装置用スタンド。
【請求項４】
請求項３記載の表示装置用スタンドにおいて、
前記案内部材を前後に角度調節可能に前記固定支持台に支持してあることを特徴とする表示装置用スタンド。
【請求項５】
請求項１〜４のいずれかに記載の表示装置用スタンドにおいて、
前記ゼンマイバネの巻回部を可動台に支持し、ゼンマイバネの引出し端を固定支持台側に連結固定してあることを特徴とする表示装置用スタンド。
【発明の詳細な説明】
【技術分野】
【０００１】
本発明は、液晶表示パネルなどの薄型の表示パネルを姿勢変更可能に固定支持台に支持する表示装置用スタンドに関する。
【背景技術】
【０００２】
上記表示装置用スタンドとしては、例えば特許文献１に開示されているように、固定支持台に円弧状の案内レールを備え、この案内レールに沿って上下にスライドする可動台に表示パネルを装着し、可動台が下方移動するに連れて表示パネルが手前に移動して後傾斜するように構成したものが知られている。
この構成によると、表示パネルを上方移動させるに連れて表示パネルが後方に移動しながら起立して、パネル面の仰角（パネル面の法線が水平線となす角度）が小さくなり、逆に、表示パネルを下方移動させるに連れて表示パネルが手前に移動しながら後傾斜して、パネル面の仰角が大きくなるものであり、手前に居るオペレータにとって見やすく、かつ、操作しやすい姿勢に任意に調節することができる。
【特許文献１】特開２０００−２５０４１８号公報
【発明の開示】
【発明が解決しようとする課題】
【０００３】
上記構成の表示装置用スタンドは、表示パネルの前後移動と仰角変更を一操作で合理的に行うことができる特徴を備えているものであるが、操作性の面で改良の余地があった。
【０００４】
すなわち、湾曲した案内レールに装着した可動台に表示パネルを取り付けて上げ下げ移動させる構造の場合、表示パネルの重量が相当大きいので、可動台をバネの弾性復元力で上方移動方向に付勢することで、表示パネルと可動台の重量をバネの弾性復元力で相殺させ、表示パネルを軽い操作で上方移動させることができるようにする。また、可動台の移動に適度な摩擦制動をかけて、表示パネルを任意の移動位置で安定保持することができるようにすることが望ましい。
【０００５】
この場合、大きい上下移動量に対応するために上方付勢用のバネとしてゼンマイバネを利用し、その巻き込み力を上方付勢用の弾性復元力とすることが好適であるが、ゼンマイバネは巻き込み力がバネの引出し量にかかわらず略一定となる特性を有しているために、巻き込み力と重量とのバランスが上下移動位置によって大きく変化する。例えば、図１３中に示すように、湾曲した固定の案内レール３１に沿って可動台３２を上下移動可能に支持するとともに、可動台３２に表示パネル３３を連結し、案内レール３１の上部に配備したゼンマイバネ３４の引出し端を可動台３２に連結して、可動台３２にゼンマイバネ３４による引き上げ付勢力を付与した構造について説明する。ゼンマイバネ３４の巻き込み力Ｐを可動台３２にかかる下向きの荷重（表示パネルと可動台の合計重量）Ｗとを等しく設定したとすると、図１３中の（ａ）に示すように、可動台３２が上限にあって表示パネル３３が略鉛直姿勢となる時、巻き込み力Ｐと荷重Ｗとが均衡する。また、図１３中の（ｂ）に示すように、可動台３２が下方移動して表示パネル３３が後傾斜するに連れて巻き込み力Ｐの方向も同様に変化するために、巻き込み力Ｐと相殺される荷重分力ｗが小さくなり、この状態では巻き込み力Ｐによって可動台３２が勝手に上方移動されてしまう。
【０００６】
そこで、下方移動させた時の勝手な上方移動を阻止するために、巻き込み力Ｐと可動台３２を大きく下方に移動させた時の荷重分力ｗとの差（Ｐ−ｗ）よりも少し大きい摩擦制動力を可動台に常時かけることで、可動台３２を移動範囲のいかなる位置に移動させても位置保持することができるようになる。
【０００７】
しかし、上方に移動させるほど荷重分力ｗは荷重Ｗに近づき、巻き込み力Ｐと荷重分力ｗとの差（Ｐ−ｗ）は次第に小さくなる。換言すると、可動台３２を上方移動させるほど表示パネル３３を位置保持するために必要な摩擦制動力は小さくてすむことになる。ところが、可動台３２には下限位置において位置保持に要求される大きい摩擦制動力を常時かけているために、上方移動位置では過剰に摩擦制動がかけられることになる。
【０００８】
その結果、上方移動位置にある可動台３２を押し下げ移動させるのに、上記した過剰な摩擦制動力に打ち勝つ操作力が必要となり、押し下げ操作が重くなるものとなっていた。
【０００９】
本発明はこのような点に着目してなされたものであって、表示パネルの上げ下げに伴ってパネル面の仰角変更を行うよう構成した表示装置用スタンドにおいて、表示パネルの上げ下げ操作をどの位置でも軽快に行えるようにすることを目的としている。
【課題を解決するための手段】
【００１０】
第１の発明は、表示パネルが装着される可動台を固定支持台に対して案内レールを介して上下にスライド移動可能に支持し、可動台が上方移動するに連れて表示パネルが後方に移動して起立するとともに、可動台が下方移動するに連れて表示パネルが手前に移動して後傾斜するように前記案内レールを湾曲形成した表示装置用スタンドにおいて、
前記可動台と固定支持台とをゼンマイバネで連結して、ゼンマイバネの巻き込み復元力で可動台を持ち上げ付勢するよう構成するとともに、可動台のスライド移動に摩擦抵抗を付与する制動手段を装備し、この制動手段を、可動台が上方移動するに連れてその摩擦制動力が減少するよう構成してあることを特徴とする。
【００１１】
この構成によると、可動台を上方に移動させるほどゼンマイバネの巻き込み力と逆向きの荷重分力の大きさは巻取り復元力の大きさに近いものとなり、巻き込み力と荷重分力との差は次第に小さくなる。換言すると、可動台を上方移動させるほど可動台を位置保持するために必要な摩擦制動力は小さくなる。この場合、制動手段は、可動台が上方移動するに連れて摩擦制動力が小さくなるように構成されているので、上方移動した可動台に過剰な摩擦制動はかけられておらず、上方移動位置にある可動台を押し下げ移動させるのに大きい力は必要とすることはない。
【００１２】
第２の発明は、上記第１の発明において、
前記制動手段を、前記案内レールに摺接する摺動片とこれを摺動面に押圧するバネとで構成し、前記可動台が上方移動するほど前記バネの固定側を受け止め支持するバネ受け部と前記摺動面との距離が増大するよう構成してあることを特徴とする。
【００１３】
この構成によると、バネの固定側を受け止め支持するバネ受け部と摺動面との距離が、可動台が最も上方移動された時に最も大きくなって、制動片の摺動面への押し付けが最も弱くなり、可動台が下方移動されるに連れて前記距離が次第に小さくなって制動片の摺動面への押し付けが徐々に強くなり、可動台が最も下方移動された時に前記距離が最も小さくなって制動片の摺動面への押し付け力が最も強くなる。つまり、可動台が上限位置にある時に摩擦制動力が最も小さくなり、可動台が下方移動されるに連れて摩擦制動力が徐々に大きくなり、可動台が最も下方移動された時に摩擦制動力が最も大きくなる。
従って、可動台の上下移動に伴って摩擦制動力を簡単な構造で変化させることができる。
【００１４】
第３の発明は、上記第１または第２の発明において、
前記案内レールを前記可動台に備え、固定支持台に備えた案内部材に前記案内レールを嵌合支持してあることを特徴とする。
【００１５】
この構成によると、縦長の案内レールを備えた可動台が上下に長いものとなり、この上下に長い可動台に表示パネルを連結支持することが容易となる。
従って、例えば、案内レールを固定支持台側に固定配備して、案内レールに沿って上下移動する小さい可動台に表示パネル連結支持する場合では、表示パネルの荷重が可動台の連結箇所に集中するので、連結金具を厚くしたり、大きいネジを使用する、等して連結構造を頑丈に構成する必要があるが、上記のように縦長の可動台に上下大きいスパンをもって表示パネルを連結支持すれば、各連結箇所にかかる負荷は小さくなり、特に頑丈な連結構造は不要となる。
【００１６】
第４の発明は、上記第３の発明において、
前記案内部材を前後に角度調節可能に前記固定支持台に支持してあることを特徴とする。
【００１７】
この構成によると、可動台の上下移動による仰角調節の他に全体の支持角度を調節することができ、表示パネルの姿勢調節範囲を拡大することができる。
【００１８】
第５の発明は、上記第１〜４のいずれかの発明において、
前記ゼンマイバネの巻回部を可動台に支持し、ゼンマイバネの引出し端を固定支持台側に連結固定してあることを特徴とする。
【００１９】
この構成によると、可動台は表示パネルを支持するためにある程度の大きさが必要であり、ゼンマイバネにおける巻回部の収容部を可動台に設けることが容易となる。
【発明の効果】
【００２０】
このように、本発明の表示装置用スタンドによると、表示パネルの上げ下げに伴ってパネル面の仰角変更を一連に行うよう構成した表示装置において、位置保持用の制動手段に合理的な改良を加えることで、表示パネルの上げ下げ操作をどの位置でも軽快に行うことが可能となった。
【発明を実施するための最良の形態】
【００２１】
以下、図面を参照して本発明の一実施例説明する。
【００２２】
図１に、本発明の一実施例に係る表示装置用スタンドに、表示パネルを取り付けて構成される表示装置の外観斜視図が、図２に、その側面図がそれぞれ示されている。本実施例の表示装置用スタンド１は、液晶式の表示パネル０１が装着される可動台７と、この可動台７を上下にスライド移動可能に支持する固定支持台２を含み、この固定支持台２をデスクなどの上に載置する卓上設置仕様に構成されている。
【００２３】
固定支持台２は、円板状に形成された座部３と、この座部３に対して前後に位置調節可能に支持された可動座部３ａと、この可動座部３ａから立設された支柱４と、この支柱４の上端部に横向き水平支点ｘ周りに角度変更可能に取り付けられたブラケット５と、このブラケット５に連結された案内部材６、等で構成されている。案内部材６には可動台７が上下にスライド移動可能に嵌合装着され、この可動台７の前部に表示パネル０１が連結支持されている。
【００２４】
図３、図４を参照する。図３は、スライド案内構造の縦断側面図、図４は、制動手段を示す縦断側面図である。可動台７には、前向きに凹入湾曲する円弧状に形成された縦長の案内レール８が備えられている。また、図１及び図２に示すように、可動台７の上下左右箇所から横向きに突設された連結片７ａに表示パネル０１が背面からネジ連結されるようになっている。
【００２５】
案内レール８には、後方に向けて開放された縦長の案内空間９が形成されており、この案内空間９に案内部材６が嵌入されるとともに、案内レール８の背面にネジ連結された蓋板１０によって案内空間９が閉塞されるようになっている。
【００２６】
さらに図５〜図９も参照する。図５は、スライド案内構造の横断平面図、図６は、案内部材の斜視図、図７は、可動台の横断平面図、図８は、固定支持台の上端部を示す背面図、図９は、可動台の下部を示す一部切欠き背面図である。案内部材６は、金属板材からなる基材１１の左右に硬質樹脂材からなる案内ブロック１２を嵌合連結して構成されており、蓋板１０によって閉塞された案内空間９に案内部材６が前後左右にガタなく嵌入されるようになっている。基材１１からは左右一対の連結片１１ａが後方に折り出し形成されて、蓋板１０に形成された左右一対の縦長のスリット１３から後方に突出され、ブラケット５にネジ連結されている。もって、可動台７が湾曲した案内レール８に沿って案内部材６に対して上下にスライド移動できるように支持され、可動台７が上方に移動すると表示パネル０１が起立姿勢に近づいてパネル面の仰角が小さくなり、可動台７が下方に移動すると表示パネル０１が手前に移動しながら後傾斜してパネル面の仰角が大きくなるようになっている。
【００２７】
図３に示すように、可動台７の下部には案内空間９の下端に連通する凹部１４が形成されるとともに、この凹部１４の内部にバネ受け部材１５がネジ連結されている。バネ受け部材１５には下向き開放された半円筒のバネ受け凹部１５ａが形成されており、巻き込み付勢された幅広のゼンマイバネ１６の巻回部１６ａがバネ受け凹部１５ａに左右に位置決めされて収容支持されている。ゼンマイバネ１６から上向きに導出された引出し端１６ｂに係止孔１７が形成されており、この係止孔１７が案内部材６における基材１１の上端部から折り出し形成したフック部１１ｂに引っ掛け固定されている。従って、引出し端１６ｂが固定支持台２側に固定支持された状態でゼンマイバネ１６が巻き込み作動することで、ゼンマイバネ１６の巻回部１６ａを支持した可動台７が巻き込み力によって相対的に上方へスライド付勢されるようになっている。
【００２８】
ゼンマイバネ１６は、その引出し端１６ｂの引出し量の大小にかかわらず略一定の巻き込み力をもたらす特性を備えており、その巻き込み力が、表示パネル０１と可動台７との合計重量による下向き荷重に近い大きさに設定されている。
【００２９】
案内部材６には、可動台７を任意の上げ下げ位置で保持するために、以下のような制動手段が備えられている。すなわち、図４〜図６に示すように、案内部材６の左右に備えられた案内ブロック１２の前面に縦長の凹部１８が形成され、各凹部１８に樹脂製の制動片１９が前後に出退移動のみ可能に嵌入支持されるとともに、凹部１８の内奥に、湾曲した板状のバネ２０が組み込まれ、このバネ２０の弾性復元力で制動片１９が前方に押し出し付勢されて、案内空間９の底面に形成された摺動面２１に押し付けられ、制動片１９と摺動面２１との摩擦によって可動台７の上下スライド移動に摩擦制動がかけられるようになっている。
【００３０】
図１０に示すように、摺動面２１は案内空間９の底部に上下に長く形成された溝２２の底面に形成されており、その溝２２の深さは、制動片１９と摺動面２１との間に発生させるべき摩擦制動力に関係するので、案内レール８の曲率などによって異なる。本実施例おいて、溝２２の深さは、下半部では一定に維持され、それより上方の中間範囲Ｌでは上方ほど徐々に浅くなり、案内空間９の上端側では溝２２が消滅するようなテーパー溝に形成されている。従って、バネ２０の固定側を受け止め支持するバネ受け部としての凹部１８の底面と摺動面２１との距離は、可動台７が上方移動されて制動片１９が溝２２の最深領域にある時に最も大きくなって、制動片１９の摺動面２１への押し付けが最も弱くなり、可動台７が下方移動されて制動片１９が溝２２のテーパー溝領域（中間範囲Ｌ）にあると、可動台７が下方に移動するに連れて前記距離が次第に小さくなって制動片１９の摺動面２１への押し付けが徐々に強くなり、可動台７が更に下方移動されて制動片１９が溝２２のない領域に至ると、前記距離が最も小さくなって制動片１９の摺動面２１への押し付け力が最も強くなる。つまり、可動台７が上限およびそれに近い高位置にある時に摩擦制動力が小さくなり、可動台７が下方移動されるに連れて摩擦制動力が徐々に大きくなり、可動台７が下限およびそれに近い位置まで下方移動された時に大きい摩擦制動力がもたらされるように設定されているのである。
【００３１】
この場合、図１１（ａ）に示すように、可動台７が上限あるいはその近くにあって起立姿勢となる時、ゼンマイバネ１６の巻き込み力Ｐと、可動台７に働く重量による荷重Ｗの巻き込み力Ｐと相殺される方向の荷重分力ｗとが近い値であるとすると、可動台７が大きく下方移動して後傾斜すると、巻き込み力Ｐの方向が同様に大きく変化するために、巻き込み力Ｐと相殺される方向の荷重分力ｗが相当小さくなり、この状態では巻き込み力Ｐによって可動台７が勝手に上方移動されてしまう。
【００３２】
前記制動手段は、巻き込み力Ｐによって可動台７が勝手な上方移動することを阻止するために備えられたものであり、巻き込み力Ｐと可動台７を下限まで移動させた時の荷重分力ｗとの差（Ｐ−ｗ）より少し大きい摩擦制動力を制動手段によって可動台７にかける。
【００３３】
このように設定すると、可動台７を上方に移動させるほど荷重分力ｗは荷重Ｗに近づき、巻き込み力Ｐと荷重分力ｗとの差（Ｐ−ｗ）は次第に小さくなる。換言すると、可動台７を上方移動させるほど可動台７を位置保持するために必要な摩擦制動力は小さくなる。この場合、制動手段は上記のように、可動台７が上方移動するに連れて摩擦制動力が小さくなるように構成されているので、上方移動した可動台７に過剰な摩擦制動はかけられておらず、上方移動位置にある可動台７を押し下げ移動させるのに、大きい力は必要とすることはない。
【００３４】
なお、図８に示すように、支柱４の上端部に取り付けたブラケット５は、支柱４にネジ止め固定された支点ボルト２３を介して前記水平支点ｘ周りに回動可能に連結されるとともに、ナット２４で締め上げられた座金２５を介して大きい回動摩擦抵抗が付与されており、表示パネル０１に前後方向への外力を加えて、可動台７および案内部材６と一体にブラケット５を前後に回動調節することで、表示パネル０１を所望の角度にすることができる。支点ボルト２３には、ブラケット５を後方に回動させる方向に回動付勢するねじりバネ２６が外挿されており、ナット２４を弛めた際に、表示パネル０１および可動台７が重量によって不用意に前方への落ち込み回動してしまうのをねじりバネ２６の復元力で抑止するよう構成されている。
【００３５】
〔他の実施例〕
【００３６】
本発明は、以下のような形態で実施することもできる。
【００３７】
（１）上記実施例では、可動台７に湾曲形成された案内レール８を一体装備しているが、固定支持台２側に案内レール８を備え、この案内レール８に沿って上下移動可能に装着した可動台７に表示パネル０１を装着支持する形態で実施することもできる。
【００３８】
（２）上記実施例では、案内部材６の左右の案内ブロック１２にそれぞれ制動片１９を装着しているが、例えば、図１２に示すように、バネ２０を二つの頂部を備えた波形に形成して大きい弾性復元力を発揮するようにすれば、左右いずれか一方の制動片１９だけで所望の摩擦制動力を得ることもできる。
【００３９】
（３）上記実施例では、可動台７にゼンマイバネ１６の巻回部１６ａを支持し、固定支持台２側の案内部材６にゼンマイバネ１６の引出し端１６ｂを連結しているが、これとは逆に、固定支持台２側の案内部材６にゼンマイバネ１６の巻回部１６ａを支持し、可動台７にゼンマイバネ１６の引出し端１６ｂを連結する形態で実施することもできる。
【００４０】
（４）前記制動手段における制動片１９を押圧するバネ２０を単一あるいは複数の圧縮コイルバネで構成することもできる。
【００４１】
（５）上記実施例の制動手段においては、バネ付勢した制動片１９を案内空間９の底部に形成した溝２２に摺接作用させているが、バネ付勢した制動片１９を案内部６の横側面から出退可能に装着して案内空間９の内側面に形成した溝に摺接作用させる形態で実施することもできる。
【００４２】
（６）固定支持台２の支柱４を伸縮調節して表示パネル０１の高さ調節を行えるように構成するもよい。
【００４３】
（７）固定支持台２は、上記実施例のようにデスク上に載置する仕様のみならず、壁付け仕様に構成することもできる。
【００４４】
（８）上記実施例では、面摺動によって可動台７を上下に案内移動する構造としているので、案内レール８を一定曲率の円弧状に形成しているが、案内部材６に上下一対のローラを装備して案内レール８に係合させて案内する構造にすれば、円弧状のみならず任意の凹入湾曲経路で可動台７を上下移動させることが可能となる。
【００４５】
（９）案内レール８を湾曲した左右一対の案内棒で構成するとともに、これら案内棒に亘ってスライド自在に案内部材６を挿嵌して実施することもできる。
【図面の簡単な説明】
【００４６】
【図１】本発明の一実施例に係る表示装置用スタンドに、表示パネルを取り付けて構成される表示装置の外観斜視図である。
【図２】図１に示した表示装置の側面図である。
【図３】スライド案内構造の縦断側面図である。
【図４】制動手段を示す縦断側面図である。
【図５】スライド案内構造の横断平面図である。
【図６】案内部材の斜視図である。
【図７】可動台の横断平面図である。
【図８】固定支持台の上端部を示す背面図である。
【図９】可動台の下部を示す一部切欠き背面図である。
【図１０】制動手段の全体を示す側面図である。
【図１１】本発明の原理作動図である。
【図１２】制動手段の別実施例を示す縦断側面図である。
【図１３】従来構造の原理作動図である。
【符号の説明】
【００４７】
０１            表示パネル
３              固定支持台
６              案内部材
７              可動台
８              案内レール
１９            制動片
２０            バネ
２１            摺動面
【図１】
2007279567.tif 000003
【図２】
2007279567.tif 000004
【図３】
2007279567.tif 000005
【図４】
2007279567.tif 000006
【図５】
2007279567.tif 000007
【図６】
2007279567.tif 000008
【図７】
2007279567.tif 000009
【図８】
2007279567.tif 000010
【図９】
2007279567.tif 000011
【図１０】
2007279567.tif 000012
【図１１】
2007279567.tif 000013
【図１２】
2007279567.tif 000014
【図１３】
2007279567.tif 000015